(57)【要約】【課題】センタレス研削盤において、研削加工段取り時の位置調整作業を容易なものとするとともに、トラブルの解消が容易にできるようにする。【解決手段】センタレス研削盤１における加工位置の上方に、当該加工位置のワークＷに向けてＣＣＤカメラ５を配置し、このＣＣＤカメラ５から出力される画像をリアルタイムで表示装置９に表示する。【選択図】      図１
2004167615.tif 000002
【特許請求の範囲】
【請求項１】
センタレス研削盤における加工位置の上方に、当該加工位置のワークに向けて配置された撮像装置と、
前記撮像装置から出力される画像をリアルタイムで表示する表示手段と、
前記画像を記憶する記憶手段と
を備えたことを特徴とするセンタレス研削盤の監視システム。
【請求項２】
前記記憶手段は、ワークの搬入及び搬出の画像を記憶する請求項１記載のセンタレス研削盤の監視システム。
【請求項３】
前記記憶手段に記憶させたワークに関する画像データを、予め記憶させた基準データと比較してワークの同一性を判別する判別手段を備えた請求項１記載のセンタレス研削盤の監視システム。
【発明の詳細な説明】
【０００１】
【発明の属する技術分野】
本発明は、センタレス研削盤の使用技術に関する。
【０００２】
【従来の技術】
センタレス研削盤は、砥石車と調整車との間にワークを挿入して研削を行う装置である。これらの位置関係は、研削加工段取り時にのみ、目視に基づいて調整される。調整後は、搬送装置により自動的にワークが加工位置に搬入され、かつ、加工後に搬出される。
【０００３】
【発明が解決しようとする課題】
上記のような従来のセンタレス研削盤において、軸方向に直径が均一でないいわゆる段付きワークをインフィード（送り込み）研削する場合には、砥石車と調整車との間を上方から見ながら、ワークと砥石車との位置関係を調整するが、このとき作業者は高所に登り、上から不自然な姿勢で加工位置をのぞき込まなければならない。従って、作業は少なからず困難を伴う。また、調整後に、搬送装置がワークを加工位置に搬入し、加工後に搬出する動作については、いちいち上から見てチェックすることは面倒であり、動作を常時監視することは事実上できない。従って、搬送のトラブルが生じても、その原因を突き止めて解消するのが容易でない。
【０００４】
上記のような従来の問題点に鑑み、本発明は、センタレス研削盤において、研削加工段取り時の位置調整作業を容易なものとするとともに、トラブルの解消が容易にできるようにすることを目的とする。
【０００５】
【課題を解決するための手段】
本発明のセンタレス研削盤の監視システムは、センタレス研削盤における加工位置の上方に、当該加工位置のワークに向けて配置された撮像装置と、前記撮像装置から出力される画像をリアルタイムで表示する表示手段と、前記画像を記憶する記憶手段とを備えたものである（請求項１）。
上記のように構成されたセンタレス研削盤の監視システムでは、撮像装置によりワーク及びその周辺が上方から撮像され、その画像は表示手段にリアルタイムで表示される。従って、作業者は、研削加工段取り時に、表示手段に表示された画像を見ながらワークに対する砥石車や調整車の位置を調整することができる。また、撮像装置の視野に入る画像は記憶手段によって記憶され、必要に応じて再生することができる。
【０００６】
また、上記監視システム（請求項１）において、記憶手段は、ワークの搬入及び搬出の画像を記憶するものであってもよい（請求項２）。
この場合、搬入・搬出のトラブルが生じた場合にも、記憶手段に記憶された画像を再生して検証することができる。
【０００７】
また、上記監視システム（請求項１）において、記憶手段に記憶させたワークに関する画像データを、予め記憶させた基準データと比較してワークの同一性を判別する判別手段を備えてもよい（請求項３）。
この場合、判別手段により、画像データと基準データとを比較してワークの同一性が判別される。従って、例えばワークの向きが逆である場合、型番が異なる場合、寸法が大きく異なる場合等を同一性なしとして判別できる。また、このような判別によれば、判別のための機械的な機構が不要となる。
【０００８】
【発明の実施の形態】
図１は、本発明の一実施形態によるセンタレス研削盤の監視システムの構成を示す図である。図において、センタレス研削盤（要部のみ図示）１は、ワークＷ（段付きのワークを図示している。）を挟んで外周面が互いに対向するように配置された砥石車２と調整車３とを備えている。ワークＷは、下方に配置されたブレード４によって支持される。ワークＷは図示しない搬送装置により、図示の加工位置に搬入され、加工後に、当該搬送装置によって搬出される。
【０００９】
加工位置にあるワークＷの上方には、撮像装置としてのＣＣＤカメラ５が加工位置のワークＷに向けて配置されている。ＣＣＤカメラ５は、砥石車２、ワークＷ及び調整車３の全体を撮像可能であり、駆動装置６により撮像位置の調整が可能である。ＣＣＤカメラ５及び駆動装置６はコンピュータシステム７と接続され、ＣＣＤカメラ５の出力はコンピュータシステム７に入力される。また、駆動装置６はコンピュータシステム７によって制御される。一方、コンピュータシステム７は、ハードディスク等の記憶装置８と接続され記憶手段を構成し、また、表示装置（ディスプレイ）９と接続され表示手段を構成している。表示装置９は、センタレス研削盤の操作盤上に設けられている。
【００１０】
上記のように構成されたセンタレス研削盤の監視システムにおいては、ＣＣＤカメラ５により、砥石車２、ワークＷ及び調整車３が上方から撮像され、ＣＣＤカメラ５の出力はコンピュータシステム７を介して表示装置９にリアルタイムで図示のように表示される。従って、表示装置９には、人が上方から砥石車２、ワークＷ及び調整車３を見たかのような画像が常に表示される。作業者は、研削加工段取り時に、この表示装置９を見ながらワークＷに対する砥石車２や調整車３の位置を調整することができる。すなわち、高所に登って不自然な姿勢での位置調整作業は不要であり、容易に位置調整作業を行うことができる。
【００１１】
また、位置調整後、コンピュータシステム７は、加工位置へのワークＷの搬入から加工後の搬出動作まで、ＣＣＤカメラ５がその視野に捉えた画像を記憶装置８に記憶させる。これにより、搬送のトラブルが発生したときなどに、記憶装置８に記憶された画像を再生することによりトラブルの検証を行うことができ、トラブルの原因が容易に発見できる。従って、容易に、トラブルを解消することができる。
【００１２】
次に、上記コンピュータシステム７によって実行される判別動作について説明する。判別動作は例えば研削加工段取り時の位置調整後に実行される。
図２は、この判別動作を示すフローチャートである。まず予め、加工前の各種のワークＷに関する正確なデータ（例えば長さや幅、加工位置における砥石車２や調整車３との隙間等）を、基準データＡとして記憶装置８に記憶させておく。
コンピュータシステム７は、判別動作の処理を開始すると、ＣＣＤカメラ５を測定位置（基準データの対象位置）に移動させ（ステップＳ１）、ＣＣＤカメラ５から出力される画像に対して所定の画像処理（形状認識）を行い（ステップＳ２）、画像データ（基準データＡと同一対象についてのもの）Ｂを得る。そして、コンピュータシステム７は、この画像データＢと基準データＡとの差Ｃ（＝Ｂ−Ａ）を求める（ステップＳ３）。
【００１３】
次に、コンピュータシステム７は、Ｃの絶対値が所定の公差Ｄより大きいか否かを判別し（ステップＳ４）、ノーすなわちＣの絶対値がＤ以下であればＯＫの表示を表示装置９に対して行い（ステップＳ５）、判別動作の処理を終える。また、イエスすなわちＣの絶対値がＤより大きい場合はＮＧの表示（ステップＳ６）及びその値Ｃの表示（ステップＳ７）を表示装置９に対して行い、判別動作の処理を終える。
【００１４】
以上のようにしてコンピュータシステム７は、ＣＣＤカメラ５の出力に基づく画像データと、基準データとを比較してワークＷの同一性の有無を判別する。従って、例えばワークＷの向きが逆である場合、型番が異なる場合、寸法が大きく異なる場合等に、ＮＧ表示がなされ、作業者の不注意によるミスを防止することができる。また、このような判別によれば、判別のための機械的な機構が不要となり、センタレス研削盤の周辺装置が簡素化される。
【００１５】
なお、上記実施形態ではＣＣＤカメラ５をワークＷの上方に１台配置したが、複数台のＣＣＤカメラを異なる位置に配置して表示装置９上のマルチ画面に表示するようにしてもよい。
【００１６】
【発明の効果】
以上のように構成された本発明は以下の効果を奏する。
請求項１のセンタレス研削盤の監視システムによれば、撮像装置によりワーク及びその周辺が上方から撮像され、その画像は表示手段にリアルタイムで表示されるので、作業者は、研削加工段取り時に、表示手段に表示された画像を見ながらワークに対する砥石車や調整車の位置を調整することができる。すなわち、高所に登って不自然な姿勢での位置調整作業は不要であり、容易に位置調整作業を行うことができる。また、撮像装置の視野に入る画像は記憶手段によって記憶され、必要に応じて再生することができるので、トラブル発生時に再生により検証すれば原因が容易に発見され、容易にトラブルを解消することができる。
【００１７】
請求項２のセンタレス研削盤の監視システムによれば、搬入・搬出のトラブルが生じた場合にも、記憶手段に記憶された画像を再生して検証すれば原因が容易に発見され、容易に搬送トラブルを解消することができる。
【００１８】
請求項３のセンタレス研削盤の監視システムによれば、画像データと基準データとを比較してワークの同一性が判別されるので、例えばワークの向きが逆である場合、型番が異なる場合、寸法が大きく異なる場合等を同一性なしとして判別し、作業者の不注意によるミスを防止することができる。また、このような判別によれば、判別のための機械的な機構が不要となり、センタレス研削盤の周辺装置が簡素化される。
【図面の簡単な説明】
【図１】本発明の一実施形態によるセンタレス研削盤の監視システムの構成を示す図である。
【図２】上記監視システムにおけるコンピュータシステムによって実行される判別動作を示すフローチャートである。
【符号の説明】
１    センタレス研削盤
５    ＣＣＤカメラ（撮像装置）
７    コンピュータシステム
８    記憶装置
９    表示装置
Ｗ    ワーク
【図１】
2004167615.tif 000003
【図２】
2004167615.tif 000004